(57)【要約】【課題】  普及している既存のカラオケ選曲リスト等の曲リストを使用して、所望の楽曲を迅速に再生できる音楽データ再生装置を提供する。【解決手段】  音楽データ再生装置１００は、楽曲を識別する既存の楽曲識別データと楽曲を検索するための検索データとの関係を示す関連データを記録装置１４に記憶し、入力部１１より楽曲識別データが入力されると、記録装置１４に記録された関連データを用いて当該楽曲識別データに対応する検索データを特定し、特定した検索データにより記録装置１４及び配信センタ５から楽曲を検索する。【選択図】  図１
2006276705.tif 000002
【特許請求の範囲】
【請求項１】
楽曲を再生する再生装置において、
楽曲を識別する既存の楽曲識別データと楽曲を検索するための検索データとの関係を示す関連データを記憶する関連データ記憶手段と、
楽曲識別データを入力する入力手段と、
前記入力手段により入力された楽曲識別データと関連データ記憶手段に記憶された関連データに基づき検索データを摘出する検索データ摘出手段と、
前記検索データ摘出手段により摘出された検索データにより楽曲を検索する楽曲検索手段とを備えたことを特徴とする再生装置。
【請求項２】
前記楽曲識別データは、カラオケコードであることを特徴とする請求項１記載の再生装置。
【請求項３】
前記入力手段は、前記楽曲識別データを示すバーコードを読み取るバーコード読取機であることを特徴とする請求項１または２記載の再生装置。
【請求項４】
前記再生装置は、さらに、
楽曲データを記憶する楽曲記憶手段を備え、
楽曲検索手段により検索されるべき楽曲が楽曲記憶手段に記憶されていない楽曲の場合、通信回線により外部より楽曲を入手することを特徴とする請求項１、２または３記載の再生装置。
【請求項５】
前記再生装置は、
関連データを、多重放送に重畳された多重データから入手することを特徴とする請求項１から４のいずれかに記載の再生装置。
【請求項６】
前記再生装置は、
関連データを、インターネットを介して入手することを特徴とする請求項１から４のいずれかに記載の再生装置。
【請求項７】
前記再生装置は、
カラオケ機能を有し、マイクが接続されている時にはカラオケを再生し、まいくが接続されていない時には通常の楽曲を再生することを特徴とする請求項２または３記載の再生装置。
【請求項８】
前記再生装置は、
カラオケ機能を有し、マイクが接続されている時にはカラオケデータを入手し、マイクが接続されていない時には通常の楽曲のデータを入手することを特徴とする請求項４記載の再生装置。
【請求項９】
楽曲を検索する楽曲検索方法において、
楽曲を識別する既存の楽曲識別データと楽曲を検索するための検索データとの関係を示す関連データに基づき、入力された楽曲識別データに対応する検索データを摘出し、
前記摘出された検索データにより楽曲を検索することを特徴とする楽曲検索方法。
【請求項１０】
前記楽曲識別データは、カラオケコードであることを特徴とする請求項９記載の楽曲検索方法。
【請求項１１】
楽曲を再生するコンピュータ実行可能なプログラムであって、当該プログラムは、コンピュータに、
楽曲識別データの入力を受け付けるステップと、
楽曲を識別する既存の楽曲識別データと楽曲を検索するための検索データとの関係を示す関連データを記憶するメモリから、前記入力ステップにより受け付けられた楽曲識別データをキーとして、検索データを摘出する摘出ステップと、
前記検索データ摘出手段により摘出された検索データにより楽曲を検索する検索ステップと
を実行させることを特徴とするプログラム。
【発明の詳細な説明】
【技術分野】
【０００１】
本発明は記憶装置に記憶されている音楽データを再生する再生装置および楽曲の検索方式に関する。
【背景技術】
【０００２】
従来のカラオケ装置の選曲方法について図面を用いて説明する。図６はカラオケ装置が持つ選曲リストの説明図で、同図（ａ）はカラオケ選曲リスト、同図（ｂ）は音楽データ（カラオケ伴奏曲）の記録状態図である。
【０００３】
カラオケ選曲リストは図６（ａ）のように、曲名、識別用のカラオケコード、歌手名等が対比して印刷されている。また、音楽データは図６（ｂ）のように、カラオケコード、曲名データ、歌手名データ、音楽データの保存場所を示すアドレス、音楽データ（カラオケ伴奏曲）等が対応して記録されている。
【０００４】
ユーザは、曲名とカラオケコード（例えば、数字列やアルファベット＋数字列）が対応して印刷されたカラオケ選曲リストを見て、演奏希望曲名に対応したカラオケコードをカラオケ装置に入力する。そうすると、ハードディスク等の記録装置に記録された音楽データの中から入力したカラオケコードに対応する音楽データが検索され、読み出されて演奏（再生）される。
【０００５】
またその他の従来技術として、通信回線を用いて配信センタから所望の音楽データを受信して再生する装置もある。
【特許文献１】特開平７−２８１６８３号公報
【特許文献２】特開平７−３７３２１号公報
【発明の開示】
【発明が解決しようとする課題】
【０００６】
以上に述べたように、カラオケ装置の場合には、膨大な曲を収容したカラオケ選曲リストが既に普及しており、ユーザは、このカラオケ選曲リストを利用して、演奏希望曲をカラオケコードで入力するだけで、簡単にカラオケ伴奏を再生させることができる。
【０００７】
しかし、カラオケ伴奏ではない通常の楽曲の場合、カラオケ選曲リストのようにコードと楽曲データとを対応させたものがないので、ユーザは予め膨大な数の楽曲について曲名、ジャンル、歌手名等から希望する楽曲を検索することが必要となる。
【０００８】
本発明は、このような点に鑑みなされたもので、普及している既存のカラオケ選曲リスト等の曲リストを使用して、所望の楽曲を迅速に再生できる音楽データ再生装置を提供することを目的とする。
【課題を解決するための手段】
【０００９】
上記課題を解決するために、本発明は、楽曲を再生する再生装置において、楽曲を識別する既存の楽曲識別データと、楽曲を検索するための検索データとの関係を示す関連データを記憶する関連データ記憶手段と、楽曲識別データを入力する入力手段と、前記入力手段により入力された楽曲識別データと関連データ記憶手段に記憶された関連データに基づき検索データを摘出する検索データ摘出手段と、前記検索データ摘出手段により摘出された検索データにより楽曲を検索する楽曲検索手段とを備える。
【発明の効果】
【００１０】
上記の構成によれば、普及している既存のカラオケ選曲リスト等を使用して、所望の楽曲を迅速に再生できる音楽データ再生装置および検索方法が提供できる。
【発明を実施するための最良の形態】
【００１１】
本発明の実施の形態に係る音楽データ再生装置について、図面を用いて説明する。
【００１２】
図１は、本発明の第１の実施の形態に係る音楽データ再生装置１００の構成を示すブロック図である。なお、この音楽データ再生装置１００が再生する音楽データには、カラオケ伴奏データと楽曲データの２種類がある。カラオケ伴奏データは、歌声を含まない伴奏のみのデータを主として含み、楽曲データは歌声と伴奏の両方のデータを含む。以下では、カラオケ伴奏データと楽曲データとを区別する必要のない場合には単に音楽データと称することとする。
【００１３】
１１は、ユーザが選曲や各種処理を実行するために操作する入力部で、ハードスイッチや表示部１２上に機能が表示されたタッチスイッチ等で構成される。１２は、選曲リストやカラオケ歌詞を表示するための液晶やＣＲＴ等で構成された表示部である。１３は、選曲された楽曲データ又は選曲されたカラオケ伴奏データとマイク入力された音声を増幅してスピーカに出力する音声出力部である。
【００１４】
１４は、音楽データが記録されたハードディスク（ＨＤＤ）等の記録装置で、通信装置２２を介して配信センタ５から取得した音楽データや選曲リスト等が記録される。
【００１５】
１５は、演奏希望曲をバーコードで指定するためのバーコードリーダで、選曲リスト上で曲名に対応して紙面に印刷されたバーコードを読み取る。
【００１６】
１６は、カラオケ演奏において、ユーザの発声した音声を電気信号に変換するためのマイクロフォン（マイク）で、音楽データ再生装置に設けられたマイク入力端子に挿抜可能に接続される。
【００１７】
１７は、記録装置１４に記録されている選曲リスト等を印刷するプリンタである。
【００１８】
２１は、ＦＭ多重放送局から定期的に送信されるリストデータを受信するラジオ受信機で、音声データに多重化されたリストデータを分離して選曲リストを作成、更新するために利用される。
【００１９】
２２は、音楽データを配信する配信センタ５との間で、音楽データやリストデータのリクエストや取得を行うための通信装置である。３は、入力部１１、表示部１２、音声出力部１３、記録装置１４、バーコードリーダ１５、マイク１６、プリンタ１７、ラジオ受信機２１、通信装置２２の動作を制御するマイクロコンピュータ（マイコン）からなる処理実行部である。
【００２０】
４は、音声データに多重化されたリストデータを定期的に送信するＦＭ多重放送局である。５は、多数の音楽データを蓄積し、ユーザからのリクエストに応じて音楽データやリストデータを配信する配信センタで、音楽データ再生装置との間を無線またはケーブルにより接続されている。
【００２１】
図２は、記録装置１４に記憶される選曲リスト等の一例を示す図で、同図（ａ）はカラオケ選曲リスト、同図（ｂ）は音楽データの記録状態図、同図（ｃ）は対比リストである。
【００２２】
カラオケ選曲リストは、図２（ａ）のように、一般のカラオケ演奏装置における選曲のためのリストであり、各カラオケ伴奏データについて、その曲名とカラオケコード、歌手名、バーコードが対応付けられて記録装置１４に記憶されている。このリストは、ユーザによる選曲操作に用いられるために表示部１２に表示され、又はプリンタ１７により紙面上に印刷される。ユーザは、この選曲リストから演奏希望曲名を選択し、それに対応するカラオケコードを数字キー等で入力すると、記録装置（ＨＤＤ）１４からカラオケコードに対応して記録されているカラオケ伴奏データが読み出されて演奏される。
【００２３】
音楽データの記録状態図は、図２（ｂ）のように、記録装置１４に記録されている音楽データと識別コードの対応を示すもので、識別コード、曲名データ、歌手名データ、楽曲データの保存場所を示すアドレス、楽曲データ等が対応している。なお、カラオケ伴奏データは、従来技術と同様にカラオケコードと対応して予め再生装置１００内部に記録されているので、ここに重複して記録しておく必要はない。
【００２４】
対比リストは、図２（ｃ）のように、カラオケコードと識別コードの対応を示すリストである。既存のカラオケ選曲リスト（図２（ａ）参照）を利用して、演奏希望曲をカラオケコードで指定すると、この対比リストを介して図２（ｂ）のカラオケコード、識別コード、音楽データが対応付けられている。これにより、カラオケコードを指定するだけで、自動的に音楽データが検索できる。
【００２５】
なお、本例では、図２（ｃ）の対比リストを別に設けているが、これに限らず、図２（ｂ）の音楽データの記録状態図の中に、カラオケコード、識別コード、曲名データ、歌手名データ、等を対応させるようにまとめてもよい。要するに、カラオケコードから識別コードを介して楽曲データが検索できるように、各データの対応がとれるようになっていればよい。
【００２６】
図３は、音楽データ再生装置の処理実行部３が行う音楽データ再生処理のフローチャートである。なお、本処理はユーザによる演奏希望曲の入力が行える状態（再生待機状態）で繰り返し実行される。
【００２７】
ステップＳ１１では、カラオケコードによる演奏希望曲の指定があったか否かを判断して、指定があればステップＳ１２に移り、指定がなければ待機する。この判断はユーザの操作した入力部１１の状態に基づいて行う。入力方法としては例えば、以下（１）（２）（３）の３通りが考えられる。（１）紙上に印刷された図２（ａ）のカラオケ選曲リストの中から、曲名に対応したカラオケコードをユーザが図４のカラオケコード入力部５３に直接入力する。なお、カラオケコードを入力すると、対応する曲名、歌手名が曲名表示部５４、歌手名表示部５５に自動的に表示され確認できる。（２）表示部１２に五十音順に表示された図２（ａ）のカラオケ選曲リストの中から、ユーザがスクロールして曲名（またはカラオケコード）を選択入力する。なお、予め、ジャンル、アーティスト、最新曲等の条件をつけて検索して、絞り込んだ結果を表示すると選択し易くなる。（３）紙上に印刷された図２（ａ）のカラオケ選曲リストの中から、曲名に対応したバーコード（カラオケコードにも対応している）を、ユーザがバーコードリーダ１５を使用して読み込ませる。
【００２８】
ステップ１２では、音楽データ再生装置にマイクが接続されているか否かを判断してマイクが接続されていればステップＳ１６に移り、マイクが接続されていなければステップＳ１３に移る。これは指定された局の楽曲（歌唱付き）を演奏するか、カラオケ伴奏曲を演奏するかを判断するもので、音楽データ再生装置のマイク入力端子にマイク１６が接続されているか否かで決まる。なお、本例では、マイク１６の接続の有無により、カラオケ伴奏曲の演奏か、楽曲の演奏かを判断しているが、ユーザによるマニュアル指定であってもよい。例えば、図４の入力画面におけるカラオケ選択キー５１、または楽曲選択キー５２の操作状態で判断する。
【００２９】
ステップ１３では、再生対象データを楽曲に設定してステップＳ１４に移る。つまり、音楽データ再生装置にマイク１６が接続されていないので、ユーザが楽曲の演奏を希望していると判断する。そこで、カラオケコードで指定された楽曲データを記録装置１４から検索するように設定する。例えば、図２（ｃ）の対比リストを使用して指定されたカラオケコード３１−２２４を対応する識別コード０００１に読み替える。更に、図２（ｂ）の音楽データの記録状態図を使用して、識別コード０００１に対応する音楽データを検索する。
【００３０】
ステップＳ１４では、記録装置１４に指示された音楽データが記録装置１４にあるか否かを判断して、指示された音楽データがあればステップＳ１５に移り、指示された音楽データがなければステップＳ１７に移る。この判断は、ステップＳ１３またはステップＳ１６の検索結果に基づいて行う。
【００３１】
ステップＳ１５では、再生対象データ（楽曲またはカラオケ伴奏）を再生して処理を終える。つまり、マイクが接続されている場合にはカラオケ伴奏データを再生し、また、マイクが接続されていない場合には楽曲データを再生して、音声出力部１３で増幅してスピーカに出力する。
【００３２】
ステップＳ１６では、再生対象データをカラオケ伴奏曲に設定してステップＳ１４に移る。つまり、マイク１６が接続されているので、ユーザがカラオケ伴奏曲の演奏を希望していると判断する。そこで、カラオケコードで指定されたカラオケ伴奏データを記録装置１４から検索するように設定する。検索方法は従来のカラオケ演奏の場合と同じであるので説明は省略する。
【００３３】
ステップＳ１７では、再生対象データを配信センタ５から取得し、記録装置１４に記録して処理を終える。つまり、入力されたカラオケコードに基づいて検索した結果、記録装置１４には音楽データ（またはカラオケ伴奏データ）がなかった。そこで、演奏希望曲のカラオケコードに対応する識別コードを検索し、その識別コードを通信装置２２を介して配信センタ５に送信する。配信センタ５では、受信した識別コードに対応した曲名データ、歌手名データ、音楽データを返信する。また音楽データ再生装置では、取得した音楽データを記録装置１４に記録する。なお、カラオケ伴奏データを取得する場合には、従来と同様に、カラオケコードをカラオケ配信センタ（配信センタ５と同じでもよい）に送信し、カラオケコードに対応した曲名データ、歌手名データ、音楽データを受信してもよい。
【００３４】
以上のように、本実施の形態の音楽データ再生装置によれば、ユーザは既存のカラオケ用の選曲リストを使用して、演奏希望曲の曲名またはカラオケコードで選択するだけで所望の楽曲を迅速に再生できる。またこのときカラオケ選曲リストのバーコードをバーコードリーダで読み込ませれば、ユーザは演奏希望曲の入力操作を簡単に行うことができる。なお、本実施例では、カラオケ機能を有する音楽再生装置の説明をしたが、カラオケ機能のない音楽再生装置であっても同様に楽曲の選択を行うことが可能とする。
【００３５】
次に、本発明の第２の実施の形態に係る音楽データ再生装置の処理実行部３が行うリスト作成処理について図５のフローチャートを用いて説明する。なお、本処理はリスト作成実行が設定されていると定期的に実行される。
【００３６】
ステップＳ２１では、ＦＭ多重放送局４から送信されるリストデータが受信できたか否かを判断してリストデータが受信できればステップＳ２２に移り、リストデータが受信できなければステップＳ２５に移る。配信センタ５から提供されたリストデータがＦＭ多重放送局４から定期的（例えば、週１回）に送信されており、これをラジオ受信機２１で受信して多重化されたリストデータを分離する。
【００３７】
ステップＳ２２では、ＦＭ多重放送局４からリストデータを取得し、記録装置１４に記録してステップＳ２３に移る。つまり、最新のリストに更新しておくために、ＦＭ多重放送局４からラジオ受信機２１を介してリストデータを取得する。リストデータは、カラオケコード、識別コード、曲名データ、歌手名データ等が対応している。取得したリストデータは記録装置１４に記録される。
なお、リストデータを取得する際に、全データを受信する代わりに特定の歌手名、オリコンチャート上位曲、最新曲、リクエスト数上位曲等の条件を付帯して、ユーザの必要とするリストデータのみを取り込むようにしてもよい。
【００３８】
ステップＳ２３では、リスト作成・更新してステップＳ２４に移る。つまり、取得したリストデータに基づいてカラオケコード、識別コード、曲名データ、歌手名データを対応させて記録装置１４に記録する。
【００３９】
ステップＳ２４では、作成したリストを印刷して処理を終える。つまり、選曲し易いように、曲名、カラオケコード、歌手名、バーコードを対応させてプリンタ１７により紙に印刷する。新曲等の追加分、更新分のみを検索して印刷するようにして印刷の無駄を抑えるよう構成してもよい。印刷されたリストは既存のカラオケ選曲本に追加ファイルすることにより、最新のカラオケ選曲本になる。選曲時には、曲名入力、カラオケコード入力、バーコード入力のいずれかの入力方法でもよい。なお、特定のアーティスト名、オリコンチャート上位曲、最新曲、リクエスト数上位曲等の条件を付帯して上記付帯条件などに個別に選曲リストを作成しておけば、無駄な印刷も防止でき、また、選曲も一層迅速に行える。
【００４０】
ステップＳ２５では、ユーザによりリスト作成指示があったか否かを判断して、リスト作成指示があればステップＳ２６に移り、リスト作成指示がなければステップＳ２１に戻る。これはユーザが定期取得を待たずに、最新のリストを作成したい時にマニュアルで指定するものである。
【００４１】
ステップＳ２６では、配信センタ５からリストデータを取得し、記録装置１４に記録してステップＳ２３に移る。つまり、ユーザによりリスト作成が指示されたが、リストデータはＦＭ多重放送局４から常時放送されているものではない。そこで、配信センタ５から通信装置２２を介してリストデータを取得する。取得したリストデータは記録装置１４に記録される。なお、リストデータの内容はステップＳ２２のＦＭ多重放送受信の場合と同じである。なお、インターネットを利用してリストデータを入手する方法も可能である。
【００４２】
以上のように、本実施の形態の音楽データ再生装置によれば、定期的に、または随時リストデータが取得でき、また印刷することにより常に最新のデータに基づいた選曲リスト（選曲本）が作成される。さらに、印刷されたバーコードをバーコードリーダで読み取らせることにより演奏希望曲が簡単に選択できる。
【００４３】
なお、本実施例では再生装置で楽曲を検索するようにしたが、再生装置から音楽センターにカラオケコードを送信し、音楽センター側で同様の方法（音楽センターがわが上記実施例の再生装置と同様の検索構成を持つ）で楽曲を検索して、楽曲データを再生装置に送信する方法も考えられる。
【産業上の利用可能性】
【００４４】
再生装置として利用できる。
【図面の簡単な説明】
【００４５】
【図１】第１の実施の形態に係る音楽データ再生装置の構成を示すブロック図である。
【図２】第１の実施の形態に係る音楽データ再生装置の選曲リストの説明図である。
【図３】第１の実施の形態に係る音楽データ再生装置の処理実行部３の行う音楽データ再生処理のフローチャートである。
【図４】第１の実施の形態に係る音楽データ再生装置の入力部１１の構成図である。
【図５】第２の実施の形態に係る音楽データ再生装置の処理実行部３の行うリスト作成処理のフローチャートである。
【図６】カラオケ装置の選曲リストの説明図である。
【符号の説明】
【００４６】
３    処理実行部
４    ＦＭ多重放送局
５    配信センタ
１１    入力部
１２    表示部
１３    音楽データ処理回路
１４    記録装置
１５    バーコードリーダ
１６    マイク
１７    プリンタ
２１    ラジオ受信機
２２    通信装置
５１    カラオケ選択キー
５２    楽曲選択キー
５３    カラオケコード入力部
５４    曲名表示部
５５    歌手名表示部
【図１】
2006276705.tif 000003
【図２】
2006276705.tif 000004
【図３】
2006276705.tif 000005
【図４】
2006276705.tif 000006
【図５】
2006276705.tif 000007
【図６】
2006276705.tif 000008